(57)【要約】【課題】  指先の感覚の未熟さや障害等で自らスプーンもしくはフォークを持つことができない乳幼児や老人でも楽しくかつ衛生的に食事がとれ、さらに外出先でも同様に食事ができる食事補助具を提供する。【解決手段】  人形胴体腕付近の一部に穴をあけスプーンやフォークを差し込み、差し込んだスプーンもしくはフォークの柄の先端部分に管状のストッパーを装着することで安易に抜けにくくし人形と一体にすることにより人形が食事を食べさせてくれる感じを与えることを特徴とする。【選択図】  図１
2007020726.tif 000002
【特許請求の範囲】
【請求項１】
人形胴体腕付近の一部に穴をあけスプーンもしくはフォークを差し込むことを特徴とする食事補助具。
【請求項２】
スプーンもしくはフォークの持ち手部分が太くなっており人形の胴体に差し込んだとき奥まで入り込まないようになっていることを特徴とする請求項１の食事補助具。
【請求項３】
人形本体から繋がった管状の物を、人形本体に差し込んだスプーンもしくはフォークの持ち手の先端部分に装着することにより差し込んだスプーンもしくはフォークが安易に抜けないようになっていることを特徴とする請求項２の食事補助具。
【請求項４】
人形の首の部分と胴体とを分割し取り外すことができ人形の胴体の中にスプーンもしくはフォーク等を収納でき外出先でも容易に使用できることを特徴とする請求項１、請求項２及び請求項３の食事補助具。
【発明の詳細な説明】
【技術分野】
【０００１】
本発明は乳幼児および老人等、体が不自由で自ら食事を摂ることが困難な人が楽しく衛生的に食事がとれ持ち運びに便利な食事補助具に関するものである。
【背景技術】
【０００２】
従来乳幼児および老人等、体が不自由で自ら食事を摂ることが困難な人が食事をする場合指先の感覚の未熟さや不自由さで自らの手によりスプーンもしくはフォークを持つことができないため大人や介護者がスプーンやフォークを持ち食事を与えることが多くその際に使用されるスプーンやフォークは柄の部分にキャラクター等の形状が施されたものや印刷がされているものが多い。
乳幼児が食事をする場合スプーンに対し箸置きを使用することは殆どなく食器の上におくことが多い。
また外出先では乳幼児用のスプーンやフォークを置いていないところがある。
【０００３】
なお本願発明に関する公知技術として次の特許文献１・特許文献２・特許文献３・特許文献４及び特許文献５を挙げることができる。
【特許文献１】特開昭６１−１５８２６９号公報
【特許文献２】特開平１５−１４４２９１号公報
【特許文献３】特開昭５５−２０９６２号公報
【特許文献４】特開昭５６−６９０８４号公報
【特許文献５】特開平１１−１９６９９５号公報
【発明の開示】
【発明が解決しようとする課題】
【０００４】
しかし従来のスプーンやフォークでは食事を口に運ぶときにキャラクター等の形状や印刷は見えない。また咄嵯にスプーンやフォークを置かなければならない状況下におかれた場合テーブルに置くことは不衛生に感じるため置き場所を選ばなければならないが、箸置きを使用した場合、箸置きを探す時間と箸置きの向き、箸置きを置くスペース等が無駄であるという欠点があった。更には外出先では乳幼児用のスプーンやフォークを置いていないところもあり食事を与えることが困難であるほかスプーンやフォークを携帯する際に不衛生である。また乳幼児に大人用のスプーンやフォークで食事を与える場合口に運ばれてくるときの手に威圧感を感じるため口を開けることを拒み食事が思うように進まない。
【０００５】
本発明は以上のような従来の欠点に鑑み、乳幼児には口に運ばれてくるときの手に威圧感を感じずキャラクターが食事を与えてくれるような印象を与え食事が進むとともに、咄嵯にスプーンやフォークを置かなければならない状況下におかれた場合でも置き場所を選ばず立てられ衛生的でありさらに外出先でも同様に食事ができる食事補助具を提供することを目的とする。
【課題を解決するための手段】
【０００６】
本願の第１発明のスプーンやフォークなどの食事補助具は上記目的を達成するため、スプーンやフォークの柄の部分にあるキャラクター等の形状や印刷を人形に変え人形胴体腕付近の一部に穴をあけスプーンやフォークが差し込まれ人形と一体になっていること、及び指先を上手に使えない乳幼児や老人等に人形をつかんでもらうことを特徴とする。
【０００７】
また本願の第２発明は人形に差し込むスプーンもしくはフォークの柄の部分が太くなつており、人形の胴体に差し込んだとき奥まで入り込まないようになっていることを特徴とする。
【０００８】
また本願の第３発明は人形本体から繋がった管状の物を、差し込んだスプーンもしくはフォークの柄の先端部分に装着することにより差し込んだスプーンもしくはフォークが安易に抜けないようになっていることを特徴とする。
【０００９】
また本願の第４発明は人形の首の部分と胴体とを分割し取り外すことができ人形の胴体の中にスプーンもしくはフォーク等を収納することもでき外出に携帯できることを特徴とする。
【発明の効果】
【００１０】
第１発明によれば人形胴体腕付近の一部に穴をあけスプーンもしくはフォークを差し込むことにより咄嵯にスプーンやフォークを置かなければならない状況下におかれた場合でも人形を直立させることにより箸置きを使用することなく場所を選ばず置くことができる。
【００１１】
第２、第３発明によれば人形の胴体に差し込んだとき奥まで入り込まないようになっていることと、差し込んだスプーンもしくはフォークの柄の先端部分に人形本体から繋がった管状の物を装着することにより差し込んだスプーンもしくはフォークが乳幼児が口に入れた際容易に人形本体から抜けないためのストッパーになっている。また人形本体から管状の物をつなぐことによって紛失を防ぐ。
【００１２】
第４発明によれば人形の首の部分と胴体とを分割し取り外すことができ人形の胴体の中にスプーンもしくはフォークを収納でき外出先に携帯でき容易に使用できる。
【００１３】
更に第1発明において人形の形を意匠的に変えることにより様々な人形を形成でき乳幼児に好まれる製品を提供することができる。また人形が食べさせてくれる感じがするので食事に対する興味を引くことができ楽しい食卓の場を提供できる。
【発明を実施するための最良の形態】
【００１４】
本発明の実施形態について図１〜図３に基づき説明する。
【００１５】
この食事補助用スプーンは従来のスプーン同様合成樹脂製でもよいため軽量かつ形状は容易に作成できる。
【００１６】
図１の人形胴体腕付近の１部分に図２の８断面と相似形の穴、図１の人形胴体腕付近の２部分に図２の６断面と相似形の穴をあけそれらの穴の大きさは図２の８及び図２の６断面より若干大きくなっておりスプーンもしくはフォークを差し込むことにより咄嵯にスプーンやフォークを置かなければならない状況下におかれた場合でも図１の５人形の足の安定により場所を選ばず置くことができる。
【００１７】
この人形とは人の形は勿論の事、動物や想像上の生き物、さらにはアニメのキャラクター等も含まれる。
【００１８】
図２の人形に差し込むスプーンもしくはフォークの柄の部分６が太くなっており図１の人形胴体腕付近の１、２部分に差し込んだとき図２の７の部分が人形胴体図１の１部分の穴より太いため奥まで入り込まないようになっている。
【００１９】
図１人形本体に繋がる図１の４紐の先に図１の３管状のものがありこの管状の物の内断面積は図２の８断面積より小さく管状の物の外断面積は図１の１より大きいため差し込んだスプーンもしくはフォークの柄の細い部分図２の８に装着することにより差し込んだスプーンもしくはフォークが安易に抜けないようになっている。ただし図１の４の紐は切れにくい物がよいためナイロン製が好ましく図１の３の管状の物はプラスチックやゴムなど多少伸縮性のあるものであればよいが、なかでもゴム状の物が一番好ましい。
【００２０】
図３の９人形の首の部分と胴体とを分割し取り外しが可能であるため人形内部にスプーンやフォーク更には携帯用ふりかけ等が収納できる。
【産業上の利用可能性】
【００２１】
本発明は離乳食期の乳幼児や老人など指先の機能が未熟あるいは衰えにより自らスプーンやフォークを持つことができない者に好ましく適用できる。
【図面の簡単な説明】
【００２２】
【図１】本発明の第１の実施形態に係る斜視図である。
【図２】本発明の第１の実施形態から取り外したスプーン類である。
【図３】本発明の第１の実施形態から取り外した人形の頭部である。
【符号の説明】
【００２３】
１、  差し込み小穴部分
２、  差し込み大穴部分
３、  管状の物
４、  管状の物をつなぐ紐
５、  人形の足
６、  柄の太い部分
７、  入り止め
８、  柄の細い部分
９、  人形の首
【図１】
2007020726.tif 000003
【図２】
2007020726.tif 000004
【図３】
2007020726.tif 000005